(57)【要約】      （修正有）【課題】前身胸部及び袖底部に通気素材を用いてクロス内部の空気の流れを良くする切替を施し、施術中のクロス内部の温度を格段に下げることが出来る美容用・理容用クロスを提供する。【解決手段】前身胸部１と袖底部５等に通気素材を使用しクロス内部の空気の流れを良くなるようにした。更に、胸部切替に重ねてヨーク３を取り付けることで施術中の溶剤の液垂れによる衣服の汚れを防ぐようにもした。これにより、液ダレから衣服の汚れを防ぐと共に施術中のクロス内部の温度を下げる事ができる。【選択図】図１
0003158543.tif 000002
【実用新案登録請求の範囲】
【請求項１】
通気性素材にて前身胸部1及び袖底部5・6に切替13・14・15を設け、空気の流れを良くし施術中のクロス内部の温度を下げることを特徴とする美容用・理容用クロス。
【請求項２】
前記通気性素材がメッシュであることを特徴とする請求項1記載の美容用・理容用クロス。
【請求項３】
前身胸部1に設けた切替部13の上にはヨークを重ね、溶液が着用者の衣服を汚す事を防止することを特徴とする請求項1又は請求項2記載のの美容用・理容用のクロス。
【請求項４】
前身胸部切替部13と袖底部切替部14と15を設けそれぞれの切替部素材は通気性素材で構成したことを特徴とする請求項1又は請求項2記載の美容用・理容用クロス。
【考案の詳細な説明】
【技術分野】
【０００１】
本考案は、胸ヨークの下側本体と袖底部に通気性素材にて切替し、通気性を高めて内部の温度を低下させる美容用・理容用クロスに関するものである。
【背景技術】
【０００２】
美容院・理容院において施術時に、お客様の衣服に溶液や水が付着したり、髪が付着するのを防ぐ為にクロスを用いるが、使用している布が撥水性又は防水性のものである為通気性が悪く内部温度が高くなり、蒸れ、非常に暑くなっていた。
【考案の概要】
【考案が解決しようとする課題】
【０００３】
通気性を良くし、施術中のお客様の暑さを除き、より快適な環境下で施術を受けられるようにする為に改善するものである。
【課題を解決するための手段】
【０００４】
クロス内部の空気の通り道を作り、内部の暑い空気を外に排出するようにする。これにより空気の循環が起こり、いつも外部の新鮮な涼しい空気が内部に入るようになり内部温度を下げる事になる。そのために、前身本体胸部に通気性素材による切替を作り、通気性を十分に良くする事と、その切替の上に本体素材にてヨークを作り液のタレなどによる液の侵入を防ぐようにした。さらに、1箇所では空気の通気量が不足する為、袖底部にも通気性素材にて切替を施し、空気の流れが十分行われるようにし前述の課題を解決した。尚、ここで表現する“切替”とは、異なった素材を接ぎ合わせることをいう。
【考案の効果】
【０００５】
従来のクロスに空気の通り道を作る事により、本考案の美容用・理容用クロスは、自然に動いているだけで空気の流れが出来、その事でクロスの内部温度が劇的に下がりお客様が本当に快適に施術を受ける事ができるようになる。
【図面の簡単な説明】
【０００６】
【図１】本考案の美容用・理容用クロスの実施例を示す正面図である。
【図２】本考案の美容用・理容用クロスの実施例を示す背面図である。
【図３】本考案の美容用・理容用クロスの実施例を示す右側面図である。
【図４】本考案の美容用・理容用クロスの実施例を示す左側面図である。
【図５】本考案の美容用・理容用クロスの実施例を示す平面図である
【図６】本考案の美容用・理容用クロスの実施例を示す底面図である
【図７】本考案の美容用・理容用クロスの実施例を示す正面からの図面に代わる写真である。
【図８】本考案の美容用・理容用クロスの実施例を示す背面からの写真であるである。
【図９】本考案の美容用・理容用クロスの実施例を示す正面切替部と袖底切替部の写真である。
【図１０】本考案の美容用・理容用クロスの実施例を示す立位正面よりの着用写真である。
【図１１】本考案の美容用・理容用クロスの実施例を示す座位での着用写真である。
【図１２】本考案の美容用・理容用クロスの実施例を示す正面切替部と袖底部の写真である。
【考案を実施するための形態】
【０００７】
前身胸部分を通気性素材で切り替える。そこから使用溶剤が内部の侵入し、溶剤によるお客様の衣服汚しが無い様にヨークにて覆う。そして空気は十分に流れ、且つヨークの浮きが少なくなるよう、左右2箇所にて身頃に留めつける。又、袖は、胸から脇への空気の流れがスムースに且多くなるようにすべく、通気性素材で切り替える。このときの通気性素材の巾が広くなると自然に腕を置いた時に通気性素材面が上部に来て、溶剤による衣服汚れが発生する恐れがあるのでその巾には十分注意する必要がある。
【実施例】
【０００８】
以下、添付図面に従って実施例を説明する。符号1・5・6は通気性素材適宜素材、2・3・4・7・8・9は防水加工又は撥水加工された適宜生地で、溶液に対して又は水などに対してお客様の衣服の汚れ防止や濡れ防止になる素材です。1は通気素材による前身胸部切替、2は前身部本体である。3は胸部切替部分を覆い液垂れによる衣服の汚れを防止するヨークである。4は袖上部である。5・6は通気性素材を使用した袖底切替部である。7・8は後身である。9は首廻りの生地である。10は3のヨークが2の本体から必要以上に浮き上がり溶液が衣服を汚すのを防ぐ為の止ステッチである。11・12は後身7と8を留める為につけたマジックテープ（登録商標）である。首廻りの11は、個々に長さの違う首廻りに適応させる為その下前側を長くしている。12は軽く留めつける為にあるものでカット後の髪が少しでも付かないように上前側は端より少し内側に取り付け、下前側は身幅を少しでも広く確保できるよう下前の端に取り付けるようにしている。13・14・15はそれぞれ通気性素材適宜素材と防水加工又は撥水加工された適宜素材との切替部分を示すものである。
【０００９】
通気性素材との切替部分は全て接ぎ部分の地縫いに加えステッチにて押さえ、お客様の衣服に引っ掛からない様にしている。
【符号の説明】
【００１０】
１  通気性素材の前身胸部切替部
２  前身本体部
3  前身胸部切替部を覆うヨーク
4  袖上部
5  通気性素材の前側袖底切替部
６  通気性素材の後側袖底切替部
７  背身下前
8  背身上前
９  首周り部
10  ヨーク浮き上がり止めステッチ
11  首まわり留めマジックテープ（登録商標）
12  後身留めマジックテープ（登録商標）
13  前身胸部切替部
14  袖前側底部切替部
15  袖後側底部切替部
【図１】
0003158543.tif 000003
【図２】
0003158543.tif 000004
【図３】
0003158543.tif 000005
【図４】
0003158543.tif 000006
【図５】
0003158543.tif 000007
【図６】
0003158543.tif 000008
【図７】
0003158543.tif 000009
【図８】
0003158543.tif 000010
【図９】
0003158543.tif 000011
【図１０】
0003158543.tif 000012
【図１１】
0003158543.tif 000013
【図１２】
0003158543.tif 000014
【手続補正書】
【提出日】平成22年2月1日(2010.2.1)
【手続補正１】
【補正対象書類名】実用新案登録請求の範囲
【補正対象項目名】請求項３
【補正方法】変更
【補正の内容】
【請求項３】
前身胸部1に設けた切替部13の上にはヨークを重ね、溶液が着用者の衣服
を汚す事を防止することを特徴とする請求項1又は請求項2記載の美容用・理容用のクロス。
【手続補正２】
【補正対象書類名】図面
【補正対象項目名】図１０
【補正方法】変更
【補正の内容】
【図１０】
0003158543.tif 000015
【手続補正３】
【補正対象書類名】図面
【補正対象項目名】図１１
【補正方法】変更
【補正の内容】
【図１１】
0003158543.tif 000016
【手続補正４】
【補正対象書類名】図面
【補正対象項目名】図１２
【補正方法】変更
【補正の内容】
【図１２】
0003158543.tif 000017